(57)【要約】【課題】  本発明は文字や絵を表示することができるとともに、点灯表示される表示板の回転によって、点灯光源の残像効果を利用し、鮮明に表示することができるとともに、構造が簡単で、安価で、寿命を長くすることができる表示装置を得るにある。【解決手段】  前面が開口あるいは光透過材で覆われた円板状のケース体と、このケース体内に回転可能に取付けられた円板状の表示板と、この表示板の外周部に受光部が形成され、前面の所定位置に発光部が形成された多数個の導光路と、前記表示板を回転させるモータと、前記表示板の外周部に位置する前記ケース体内に配置された、前記導光路へ光を照射する多数個の光源と、この多数個の光源のＯＮ、ＯＦＦおよび前記表示板の回転を制御する制御回路とで表示装置を構成している。【選択図】  図１
2008080040.tif 000002
【特許請求の範囲】
【請求項１】
前面が開口あるいは光透過材で覆われた円板状のケース体と、このケース体内に回転可能に取付けられた円板状の表示板と、この表示板の外周部に受光部が形成され、前面の所定位置に発光部が形成された多数個の導光路と、前記表示板を回転させるモータと、前記表示板の外周部に位置する前記ケース体内に配置された、前記導光路へ光を照射する多数個の光源と、この多数個の光源のＯＮ、ＯＦＦおよび前記表示板の回転を制御する制御回路とからなることを特徴とする表示装置。
【請求項２】
前面外周部の遮光部を除く部位が光透過材のカバーで覆われた円板状のケース体と、このケース体内に回転可能に取付けられた外周部が、前記遮光部に位置する円板状の表示板と、この表示板の外周部に受光部が形成され、前面の所定位置に発光部が形成された径方向に規制的に配置された多数個の導光路と、前記表示板を角度認識可能に回転させるモータと、前記表示板の外周部に位置する前記ケース体内に配置された、前記導光路へ光を照射する多数個のＬＥＤ等の光源と、この多数個の光源のＯＮ、ＯＦＦおよび前記表示板の回転を制御する制御回路とからなることを特徴とする表示装置。
【発明の詳細な説明】
【技術分野】
【０００１】
本発明は主に遊技機に使用される表示装置に関する。
【背景技術】
【０００２】
従来のこの種の表示装置は、多数個のＬＥＤを直線上に配置した直線状の表示体を回転させ、これらのＬＥＤのＯＮ、ＯＦＦ制御により、面状に文字や絵を表示している。
【０００３】
このため、回転するＬＥＤに給電するために、多極のスリップリングが必要となり、高価であるとともに、構造が複雑で寿命が短いという欠点があった。
【特許文献１】特になし
【発明の開示】
【発明が解決しようとする課題】
【０００４】
本発明は以上のような従来の欠点に鑑み、文字や絵を表示することができるとともに、点灯表示される表示板の回転によって、点灯光源の残像効果を利用し、鮮明に表示することができる構造が簡単で、安価で、寿命が長い表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は前面が開口あるいは光透過材で覆われた円板状のケース体と、このケース体内に回転可能に取付けられた円板状の表示板と、この表示板の外周部に受光部が形成され、前面の所定位置に発光部が形成された多数個の導光路と、前記表示板を回転させるモータと、前記表示板の外周部に位置する前記ケース体内に配置された、前記導光路へ光を照射する多数個の光源と、この多数個の光源のＯＮ、ＯＦＦおよび前記表示板の回転を制御する制御回路とで表示装置を構成している。
【発明の効果】
【０００７】
以上の説明から明らかなように、本発明にあっては次に列挙する効果が得られる。
【０００８】
（１）前面が開口あるいは光透過材で覆われた円板状のケース体と、このケース体内に回転可能に取付けられた円板状の表示板と、この表示板の外周部に受光部が形成され、前面の所定位置に発光部が形成された多数個の導光路と、前記表示板を回転させるモータと、前記表示板の外周部に位置する前記ケース体内に配置された、前記導光路へ光を照射する多数個の光源と、この多数個の光源のＯＮ、ＯＦＦおよび前記表示板の回転を制御する制御回路とで構成されているので、表示板を回転させ多数個の光源をＯＮ、ＯＦＦさせることにより、表示板の発光部での発光によって、文字や絵を表示することができる。
したがって、遊技機や表紙装置として使用することができる。
【０００９】
（２）前記（１）によって、回転する表示板の導光路に光源からの光を照射するので、照射する多数個の光源の色を変えることにより、発光部の色を変えることができる。
したがって、より多彩な表示を行なうことができる。
【００１０】
（３）前記（１）によって、表示板を回転させ、発光部での光源のＯＮ、ＯＦＦによる発光で、文字や絵を表示するので、光源の残像効果を利用し、表示することができる。
したがって、表示板に文字や絵を鮮明に表示することができるとともに、構造が簡単で、安価で、寿命を長くすることができる。
【００１１】
（４）請求項2も前記（１）〜（３）と同様な効果が得られるとともに、表示板の回転角度と多数個の光源のＯＮ、ＯＦＦをより高精度で行なうことができ、寄り鮮明に表示板に文字や絵を表示することができる。
【発明を実施するための最良の形態】
【００１２】
以下、図面に示す本発明を実施するための最良の形態により、本発明を詳細に説明する。
【００１３】
図１ないし図１６に示す本発明を実施するための最良の第１の形態において、１は本発明の遊技機で使用される表示装置で、この表示装置1は前面外周部の遮光部2を除く部位がガラスや透明合成樹脂材等の光透過材のカバー3で覆われた円板状のケース体4と、このケース体４内に固定された表示板支持ケース１４内に回転可能に取付けられた外周部が、前記遮光部２に位置する円板状の表示板５と、この表示板５を角度認識可能に回転させる位置検出器を備えたモータやステッピングモータ等のモータ６と、前記表示板５の外周部に位置する、前記ケース体４内に配置された多数個のフルカラーＬＥＤ等の光源７および、この多数個のフルカラーＬＥＤ等の光源７を任意にＯＮ、ＯＦＦおよび前記表示板５の回転を制御する制御回路８とを備えるＬＥＤ基板９とで構成されている。
【００１４】
前記ケース体4は図4ないし図7に示すように、外周部に所定間隔に差し込み片挿入凹部１０、１０、１０、１０、１０、10が形成されたベース板１１と、このベース板11に複数本のビス１２、１２、１２等で固定されたカバー3が固定された遮光カバー１３とで構成されている。
【００１５】
前記表示板支持ケース１４は図8および図９に示すように、前記表示板５を収納する透孔１６を有する円板状の表示板支持ケース本体17と、この表示板支持ケース本体17の外周部に取付け用のフランジ部18およびフルカラーＬＥＤ等の光源7を所定間隔で収納する、内側が開口する半円弧状の光源収納部１９とで構成されている。
【００１６】
前記表示板５は図１０ないし図１２に示すように、前面に任意の配置で形成された多数個の発光部２０と、この多数個の発光部２０と連通するように径方向へ規制的に配置された背面に開口するとともに、外周部の受光部２１と連通する多数個の導光路２２とで構成されている。
このため、前記表示板支持ケース１４は前記フルカラーＬＥＤ等の光源7から発する光を効率よく前記表示板５の外周部に形成された受光部２１ひいては導光路２２、発光部２０へと導くための反射板の機能も併せ持っている。
【００１７】
前記モータ６は図１３に示すように、前記ケース体4のベース板１１に取付けられたハット形鋼形状のモータ取付板２３に固定されるとともに、駆動軸２４は前記ベース板１１、前記ＬＥＤ基板９および前記表示板支持ケース１４のほぼ中央部の透孔２５、２５、２５を通過して、前記表示板５の中央部に複数本のビス２６、２６で固定されている。
【００１８】
前記ＬＥＤ基板９は図１４ないし図１６に示すように、前記ケース体４の差し込み片挿入凹部１０、１０、１０、１０、１０、１０に位置する背面部位にコネクタ２７、２７、２７、２７、２７、２７が位置し、前面の外周寄りの部位に前記表示板５の光源収納部１９にそれぞれ収納されるようにフルカラーＬＥＤ等の光源７が配置されている。
【００１９】
上記構成の表示装置１は、モータ６を駆動させて表示板５を回転させるとともに、制御回路８で前記モータ６の駆動と多数個のフルカラーＬＥＤ等の光源７をＯＮ、ＯＦＦを制御させることにより、点灯時の光は多数個の導光路２２の受光部２１より受光され、発光部２０で発光される。
このため、表示板５上に文字や絵２８を表示することができるとともに、フルカラーＬＥＤ等の光源７の残像効果を利用し、文字や絵を鮮明に表示することができる。
[発明を実施するための異なる形態]
【００２０】
次に、図１７ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１７ないし図１９に示す本発明を実施するための第２の形態において、前記本発明を実施するための最良の第１の形態と主に異なる点は、半円弧状の凹部を形成した一方の導光路２２ａを形成した一方の表示板５ａと、この一方の表示板５ａの一方の導光路２２ａ一致する半円弧状の凹部で形成した他方の導光路２２ｂが形成された他方の表示板５ｂとを重ね合わせて形成した表示板５Ａを用いたた点で、このように形成された表示板５Ａを用いて構成した表示装置１Ａにしても、前記本発明を実施するための最良の第１の形態と同様な作用効果が得られる。
【００２２】
図２０ないし図２２に示す本発明を実施するための第３の形態において、前記本発明を実施するための最良の第１の形態と主に異なる点は、フルカラーＬＥＤを用いることなく、１色あるいは異なる色のＬＥＤを光源７Ａとして用いた点で、このように構成した表示装置１Ｂにしても、前記本発明を実施するための最良の第１の形態と同様な作用効果が得られる。
【産業上の利用可能性】
【００２３】
本発明は主に遊技機の表示装置を製造する産業で利用される。
【図面の簡単な説明】
【００２４】
【図１】本発明を実施するための最良の第１の形態の正面図。
【図２】本発明を実施するための最良の第１の形態の背面図。
【図３】図１の３−３線に沿う拡大断面図。
【図４】本発明を実施するための最良の第１の形態のベース板の正面図。
【図５】本発明を実施するための最良の第１の形態のベース板の側面図。
【図６】本発明を実施するための最良の第１の形態の遮光カバーの背面図。
【図７】図６の７−７線に沿う断面図。
【図８】本発明を実施するための最良の第１の形態の表示板支持ケースの背面図。
【図９】図８の９−９線に沿う断面図。
【図１０】本発明を実施するための最良の第１の形態の表示板の平面図。
【図１１】本発明を実施するための最良の第１の形態の表示板の背面図。
【図１２】本発明を実施するための最良の第１の形態の表示板の正面図。
【図１３】本発明を実施するための最良の第１の形態のモータの取付け状態の説明図。
【図１４】本発明を実施するための最良の第１の形態のＬＥＤ基板の平面図。
【図１５】本発明を実施するための最良の第１の形態のＬＥＤ基板の背面図。
【図１６】本発明を実施するための最良の第１の形態のＬＥＤ基板の正面図。
【図１７】本発明を実施するための第２の形態の正面図。
【図１８】図１７の１８−１８線に沿う拡大断面図。
【図１９】本発明を実施するための第２の形態の表示板本体の説明図。
【図２０】本発明を実施するための第３の形態の正面図。
【図２１】図２０の２１−２１線に沿う拡大断面図。
【図２２】本発明を実施するための第３の形態のＬＥＤ基板の平面図。
【符号の説明】
【００２５】
１、１Ａ、１Ｂ：表示装置、        ２：遮光部、
３：カバー、                                                ４：ケース体
５、５Ａ：表示板、                                    ６：モータ、
７、７Ａ：ＬＥＤ等の光源、        ８：制御回路、
９：ＬＥＤ基板、                            １０：差し込み片挿入凹部、
１１：ベース板、                            １２：ビス、
１３：遮光カバー、                                    １４：表示板支持ケース、
１６：透孔、                      １８：フランジ部、
１９：光源収納部、                                    ２０：発光部、
２１：受光部、                                ２２：導光路、
２３：モータ取付板、                    ２４：駆動軸、
２６：ビス、                  ２７：コネクタ、
２８：文字や絵。
【図１】
2008080040.tif 000003
【図２】
2008080040.tif 000004
【図３】
2008080040.tif 000005
【図４】
2008080040.tif 000006
【図５】
2008080040.tif 000007
【図６】
2008080040.tif 000008
【図７】
2008080040.tif 000009
【図８】
2008080040.tif 000010
【図９】
2008080040.tif 000011
【図１０】
2008080040.tif 000012
【図１１】
2008080040.tif 000013
【図１２】
2008080040.tif 000014
【図１３】
2008080040.tif 000015
【図１４】
2008080040.tif 000016
【図１５】
2008080040.tif 000017
【図１６】
2008080040.tif 000018
【図１７】
2008080040.tif 000019
【図１８】
2008080040.tif 000020
【図１９】
2008080040.tif 000021
【図２０】
2008080040.tif 000022
【図２１】
2008080040.tif 000023
【図２２】
2008080040.tif 000024